(57)【要約】【課題】簡素な構成で安全ネットを高所の横材に容易に吊り上げ、吊り降ろしする。【解決手段】取り付け装置２は、吊り下げ具１０が、引っ掛け部１４が形成された吊り下げ部材１３と、外筒体１２に上下動可能かつ回動可能に収容され屈曲スリット３３を有する内筒体２１と、内筒体２１の上端部２２に枢支され吊り下げ部材１３を開閉する揺動部材２３と、外筒体１２と内筒体２１とを貫通し屈曲スリット３３に嵌通される棒材３１と、棒材３１と内筒体２１との間に設けられたばね２４と、孔２９が穿設された動作部材２７とを備え、操作具１１が、動作部材２７と棒材３１とに係脱自在に係合する板材４０と、この板材４０に連結される操作棒４２とを備えている。持ち上げ部９を引っ掛け、操作具１１により吊り上げ具１０を持ち上げ、横材４、５に開いた吊り下げ部材１３を掛けて下方に押し下げ、ロック方向に回すと吊り下げ部材１３は閉じてロックされる。【選択図】図５
2019002138.tif 000002
【特許請求の範囲】
【請求項１】
基体と、この基体上部に設けられ引っ掛け部が形成された吊り下げ部材と、前記基体に上下動可能かつ回動可能に設けられ、屈曲スリットが形成された可動体と、この可動体の上端部に揺動可能に枢支され前記吊り下げ部材を開閉する揺動部材と、前記基体と前記可動体とを貫通し、前記屈曲スリットに嵌通される棒材と、この棒材と前記可動体上端部との間に設けられたばねと、前記可動体に連結され、孔が穿設された動作部材とを備え、
前記動作部材を押し下げ、前記揺動部材を起立させて前記吊り下げ部材を閉じ、その閉位置で前記動作部材をロック方向に回して前記揺動部材をロックすることを特徴とする吊り下げ具。
【請求項２】
前記動作部材には、操作杆が着脱自在に設けられることを特徴とする請求項１に記載の吊り下げ具。
【請求項３】
請求項１に記載の吊り下げ具を操作する操作具であって、
前記動作部材に係脱自在に係合する板材と、この板材に脱着可能に連結される操作杆とを備えたことを特徴とする操作具。
【請求項４】
請求項１に記載の吊り下げ具と、請求項３に記載の操作具とを備え、
前記操作杆を持ち上げて前記吊り下げ部材を被吊り下げ材に掛け、前記操作杆を押し下げ、前記揺動部材を起立させて前記吊り下げ部材を閉じ、その閉位置で前記操作杆をロック方向に回して前記揺動部材をロックすることを特徴とする取り付け装置。
【請求項５】
前記吊り下げ部材の開放端には、鉤部が、前記揺動部材の揺動端には、前記鉤部に係合可能な係合部がそれぞれ形成され、
前記揺動部材は、前記ばねにより前記可動体上端が前記基体の上部に付勢されると、横臥して前記吊り下げ部材を開き、前記動作部材が前記ばねに抗して下方に押圧されて前記可動体が降下すると、起立して前記係合部が前記鉤部に係止されることを特徴とする請求項１ないし４のうちいずれか１に記載の取り付け装置。
【請求項６】
前記基体と前記可動体とはそれぞれ、外筒体とこの外筒体内に摺動可能かつ回動可能に収容された内筒体とにより構成され、
前記屈曲スリットは、前記棒材の上下方向の変位を許容する縦スリット部と、この縦スリット部の上端から横方向に形成され、前記棒材の回動方向の変位を許容する横スリット部と、前記横スリット部の行き止まり端から下方に前記棒材の上下寸法に応じて延び、前記棒材の回動方向の変位を規制する規制溝部とを有して構成されることを特徴とする請求項１ないし５のうちいずれか１に記載の取り付け装置。
【請求項７】
前記動作部材は、下端が水平に形成されるとともに、両端に互いに臨んで同一形状の受け入れ部が形成された孔を有する動作プレートを備え、
前記板材は、上部に前記外筒体を受け入れる切り欠き部が形成されるとともに、
前記板材の一面には、前記動作プレートの下端を受け入れて支持し、前記動作プレートと前記板材との横方向の相対変位を許容するガイドと、前記動作プレートと前記板材との横方向の相対変位を所定位置で規制する規制突部と、前記屈曲スリットに対応した屈曲溝部が形成された案内部材と、前記棒材の突出部の脱落を阻止する脱落防止部材とが設けられ、
前記屈曲溝部は、前記動作プレートが前記ガイドに導かれると、前記突出部を受け入れて横方向の変位を許容する横溝部と、この横溝部の行き止まり端から上方に延びる縦溝部と、この縦溝部の上端から前記横溝部と平行に延びる逃げ溝部とをそれぞれ有して構成され、
前記板材の他面には、前記動作プレートの前記受け入れ部に嵌合するアームと、前記切り欠き部の下側に前記動作プレートの前記孔上縁を支持する支持部とが設けられることを特徴とする請求項６に記載の取り付け装置。
【請求項８】
前記板材の切り欠き部上部には、前記吊り下げ部の一部を受け入れる凹部が形成されることを特徴とする請求項７に記載の取り付け装置。
【請求項９】
前記動作部材は、下端が水平に形成されるとともに、両端に互いに臨んで同一形状の受け入れ部が形成された孔を有する動作プレートを備え、
前記板材は、上部に前記外筒体を受け入れる凹陥部が形成されるとともに、前記板材の前記凹陥部上部には、前記吊り下げ部に当接可能な一対の当接部が互いに臨んで前記板材と直角に設けられ、
前記板材の一面には、前記動作プレートの前記受け入れ部に嵌合する第１のアームが、前記板材の他面には、前記動作プレートの前記受け入れ部に嵌合する第２のアームと前記凹陥部の下側に前記動作プレートの前記孔上縁を支持する支持部とがそれぞれ設けられることを特徴とする請求項６に記載の取り付け装置。
【請求項１０】
吊下物が引っ掛けられる引っ掛け部と被吊り下げ材に吊り下げられる吊り下げ部とを有する吊り下げ部材と、吊り下げ部を開閉する揺動部材と、上下に変位して前記揺動部材を揺動させて前記吊り下げ部を開状態と閉状態とに切り替える切り替え機構と、前記切り替え機構の回動により前記吊り下げ部を閉位置でロックするロック機構とを備えたことを特徴とする吊り下げ具。
【請求項１１】
請求項１０に記載の吊り下げ具を操作する操作具であって、
前記切り替え機構に係脱自在に係合し、前記切り替え機構を上下に変位させるとともに閉位置で前記切り替え機構を回動させる操作機構を備えたことを特徴とする操作具。
【請求項１２】
請求項１０に記載の吊り下げ具と請求項１１に記載の操作具とを備えたことを特徴とする取り付け装置。
【発明の詳細な説明】
【技術分野】
【０００１】
本発明は、構造物の屋根または天井等の下側に設けられた高所の横材に安全ネット等を取り付ける吊り下げ具と操作具ならびにこれらを備えた取り付け装置に関するものである。
【背景技術】
【０００２】
一般に、駅舎のプラットホーム等の構造物の屋根は、支持材（横材、梁）を介して支柱により支持される。支持材としては山形鋼（アングル）が用いられる。屋根の経年劣化の検査やひび割れや破損による雨漏り修理など、保守管理の際には、屋根に上って作業することがある。屋根には、スレート材が用いられることが多く、作業時、屋根を誤って踏み抜く恐れがあるので、作業前に作業領域のプラットホーム上で、高所の横材に安全ネット（吊下物）を吊してから作業を始めるようになっている。高所の横材に安全ネットを吊す際には、まず、作業足場を組んだり、脚立を用いて、作業員が安全ネットの吊り下げ紐を持って作業足場や脚立に上り、横材に結びつけるようにしている。
【０００３】
しかしながら、係る吊り下げ作業では、高所に上るため、安全面に配慮する必要があるだけでなく、作業に時間がかかるという問題がある。このため、従来、まず、クランプ操作棒で、取り付け具としての逆Ｌ字型クランプを梁にセットし、その状態でカム操作棒を操作して、クランプを梁に把持するようにしたものが知られている。こうして、複数のクランプを梁に沿って所望の間隔で所望の数取り付け、その後、安全ネットの端部ロープを各クランプのフックに引っ掛けて、安全ネットを張設するようにしている（例えば、特許文献１参照）。
【先行技術文献】
【特許文献】
【０００４】
【特許文献１】特開２０１１−１７４２６７号公報
【発明の概要】
【発明が解決しようとする課題】
【０００５】
しかしながら、上記クランプでは、床側から上方の形鋼からなる横梁に、外れ防止部を正確に合致させてセットしなければならず、見づらい上に、正確に掛止されているかどうか見極めにくく、クランプ操作棒の操作が難しいという問題がある。また、上部材の下部に、カムとリンクアームとばねとカム切替操作棒とにより構成されるストッパ機構を備えているため、装置が複雑化、長大化するという問題がある。さらに、複数のクランプをセットした後、安全ネットの端部ロープを各クランプのフックに引っ掛けるようにしているので、手間がかかるという問題がある。
【０００６】
本発明は上記課題を解決するためになされたもので、簡素な構成で容易に吊下物を高所の被吊り下げ材に吊り上げ、吊り降ろしすることができ、作業性を向上させることができる取り付け具を提供することを目的とする。
【課題を解決するための手段】
【０００７】
本発明の請求項１に係る吊り下げ具は、基体と、この基体上部に設けられ引っ掛け部が形成された吊り下げ部材と、前記基体に上下動可能かつ回動可能に設けられ、屈曲スリットが形成された可動体と、この可動体の上端部に揺動可能に枢支され前記吊り下げ部材を開閉する揺動部材と、前記基体と前記可動体とを貫通し、前記屈曲スリットに嵌通される棒材と、この棒材と前記可動体上端部との間に設けられたばねと、前記可動体に連結され、孔が穿設された動作部材とを備え、前記動作部材を押し下げ、前記揺動部材を起立させて前記吊り下げ部材を閉じ、その閉位置で前記動作部材をロック方向に回して前記揺動部材をロックすることを特徴とするものである。
【０００８】
本発明の請求項１に係る吊り下げ具では、基体と、この基体上部に設けられ引っ掛け部が形成された吊り下げ部材と、前記基体に上下動可能かつ回動可能に設けられ、屈曲スリットが形成された可動体と、この可動体の上端部に揺動可能に枢支され前記吊り下げ部材を開閉する揺動部材と、前記基体と前記可動体とを貫通し、前記屈曲スリットに嵌通される棒材と、この棒材と前記可動体上端部との間に設けられたばねと、前記可動体に連結され、孔が穿設された動作部材とを備え、前記動作部材を押し下げ、前記揺動部材を起立させて前記吊り下げ部材を閉じ、その閉位置で前記動作部材をロック方向に回して前記揺動部材をロックするようにしたので、床で引っ掛け部に吊下物を引っ掛け、動作部材を変位させて吊り下げ部材を開き、動作部材により基体を持ち上げて吊り下げ部材を被吊り下げ材に吊り下げ、動作部材を変位させて吊り下げ部材を閉じ、動作部材をロック方向に回動させると、吊り下げ部材を閉状態でロックする。吊り降ろし時には、動作部材を逆に回動させて、ロックを解除し、動作部材を元の位置に変位させて吊り下げ部材を開き、動作部材により基体を移動させて吊り下げ部材を被吊り下げ材から離脱させ、基体を降ろすと、吊下物は床に降ろされる。このため、吊り上げ、吊り降ろし作業が簡素化、効率化される。
【０００９】
また、上記発明に係る吊り下げ具は、動作部材には、操作杆が着脱自在に設けられることが好ましい。係る構成により、床側から高所の被吊り下げ材に吊すことができる。
【００１０】
本発明の請求項３に係る操作具は、請求項１に記載の吊り下げ具を操作する操作具であって、前記動作部材に係脱自在に係合する板材と、この板材に脱着可能に連結される操作杆とを備えたことを特徴とするものである。
【００１１】
本発明の請求項３に係る操作具は、請求項１に記載の吊り下げ具を操作する操作具であって、前記動作部材に係脱自在に係合する板材と、この板材に脱着可能に連結される操作杆とを備えるようにしたので、操作具により吊り下げ具を被吊り下げ材に吊り下げて、下方から動作部材を操作してロック、ロック解除を行うことができる。
【００１２】
本発明の請求項４に係る取り付け装置は、請求項１に記載の吊り下げ具と、請求項３に記載の操作具とを備え、前記操作杆を持ち上げて前記吊り下げ部材を被吊り下げ材に掛け、前記操作杆を押し下げ、前記揺動部材を起立させて前記吊り下げ部材を閉じ、その閉位置で前記操作杆をロック方向に回して前記揺動部材をロックすることを特徴とするものである。
【００１３】
本発明の請求項４に係る取り付け装置では、請求項１に記載の吊り下げ具と、請求項３に記載の操作具とを備え、前記操作杆を持ち上げて前記吊り下げ部材を被吊り下げ材に掛け、前記操作杆を押し下げ、前記揺動部材を起立させて前記吊り下げ部を閉じ、その閉位置で前記操作杆をロック方向に回して前記揺動部材をロックするようにしたので、床で引っ掛け部に吊下物を引っ掛け、動作部材を変位させて吊り下げ部材を開き、動作部材により基体を持ち上げて吊り下げ部材を被吊り下げ材に吊り下げ、動作部材を変位させて吊り下げ部材を閉じ、動作部材をロック方向に回動させると、吊り下げ部材を閉状態でロックする。吊り降ろし時には、動作部材を逆に回動させて、ロックを解除し、動作部材を元の位置に変位させて吊り下げ部材を開き、動作部材により基体を移動させて吊り下げ部材を被吊り下げ材から離脱させ、基体を降ろすと、吊下物は床に降ろされる。このため、吊り上げ、吊り降ろし作業が簡素化、効率化される。
【００１４】
また、上記発明に係る取り付け装置は、前記吊り下げ部材の開放端には、鉤部が、前記揺動部材の揺動端には、前記鉤部に係合可能な係合部がそれぞれ形成され、前記揺動部材は、前記ばねにより前記可動体上端が前記基体の上部に付勢されると、横臥して前記吊り下げ部材を開き、前記動作部材が前記ばねに抗して下方に押圧されて前記可動体が降下すると、起立して前記係合部が前記鉤部に係止されることが好ましい。さらに、前記基体と前記可動体とはそれぞれ、外筒体とこの外筒体内に摺動可能かつ回動可能に収容された内筒体とにより構成され、前記屈曲スリットは、前記棒材の上下方向の変位を許容する縦スリット部と、この縦スリット部の上端から横方向に形成され、前記棒材の回動方向の変位を許容する横スリット部と、前記横スリット部の行き止まり端から下方に前記棒材の上下寸法に応じて延び、前記棒材の回動方向の変位を規制する規制溝部とを有して構成されることが好ましい。
【００１５】
また、上記発明に係る取り付け装置は、前記動作部材は、下端が水平に形成されるとともに、両端に互いに臨んで同一形状の受け入れ部が形成された孔を有する動作プレートを備え、前記板材は、上部に前記外筒体を受け入れる切り欠き部が形成されるとともに、前記板材の一面には、前記動作プレートの下端を受け入れて支持し、前記動作プレートと前記板材との横方向の相対変位を許容するガイドと、前記動作プレートと前記板材との横方向の相対変位を所定位置で規制する規制突部と、前記屈曲スリットに対応した屈曲溝部が形成された案内部材と、前記棒材の突出部の脱落を阻止する脱落防止部材とが設けられ、前記屈曲溝部は、前記動作プレートが前記ガイドに導かれると、前記突出部を受け入れて横方向の変位を許容する横溝部と、この横溝部の行き止まり端から上方に延びる縦溝部と、この縦溝部の上端から前記横溝部と平行に延びる逃げ溝部とをそれぞれ有して構成され、前記板材の他面には、前記動作プレートの前記受け入れ部に嵌合するアームと、前記切り欠き部の下側に前記動作プレートの前記孔上縁を支持する支持部とが設けられることが好ましい。さらに、前記板材の切り欠き部上部には、前記吊り下げ部の一部を受け入れる凹部が形成されるようにしてもよい。
【００１６】
また、上記発明に係る取り付け装置は、前記動作部材は、下端が水平に形成されるとともに、両端に互いに臨んで同一形状の受け入れ部が形成された孔を有する動作プレートを備え、前記板材は、上部に前記外筒体を受け入れる凹陥部が形成されるとともに、前記板材の前記凹陥部上部には、前記吊り下げ部に当接可能な一対の当接部が互いに臨んで前記板材と直角に設けられ、前記板材の一面には、前記動作プレートの前記受け入れ部に嵌合する第１のアームが、前記板材の他面には、前記動作プレートの前記受け入れ部に嵌合する第２のアームと前記凹陥部の下側に前記動作プレートの前記孔上縁を支持する支持部とがそれぞれ設けられることが好ましい。
【００１７】
本発明の請求項１０に係る吊り下げ具は、吊下物が引っ掛けられる引っ掛け部と被吊り下げ材に吊り下げられる吊り下げ部とを有する吊り下げ部材と、吊り下げ部を開閉する揺動部材と、上下に変位して前記揺動部材を揺動させて前記吊り下げ部を開状態と閉状態とに切り替える切り替え機構と、前記切り替え機構の回動により前記吊り下げ部を閉位置でロックするロック機構とを備えたことを特徴とするものである。
【００１８】
本発明の請求項１０に係る吊り下げ具では、吊下物が引っ掛けられる引っ掛け部と被吊り下げ材に吊り下げられる吊り下げ部とを有する吊り下げ部材と、吊り下げ部を開閉する揺動部材と、上下に変位して前記揺動部材を揺動させて前記吊り下げ部を開状態と閉状態とに切り替える切り替え機構と、前記切り替え機構の回動により前記吊り下げ部を閉位置でロックするロック機構とを備えるようにしたので、引っ掛け部に吊下物を引っ掛け、吊り下げ部を開いて被吊り下げ材に掛け、切り替え機構を上下に変位させて吊り下げ部を閉じ、この閉位置で切り替え機構を回動させると、吊り下げ部は閉じられたままロックされる。ロックを解除して吊り降ろす際には、切り替え機構をロック方向と逆に回してロックを解除し、切り替え機構を閉方向と逆に変位させて吊り下げ部を開き、被吊り下げ材から吊り降ろすことができる。
【００１９】
本発明の請求項１１に係る操作具は、請求項１０に記載の吊り下げ具を操作する操作具であって、前記切り替え機構に係脱自在に係合し、前記切り替え機構を上下に変位させるとともに閉位置で前記切り替え機構を回動させる操作機構を備えたことを特徴とするものである。
【００２０】
本発明の請求項１１に係る操作具では、請求項１０に記載の吊り下げ具を操作する操作具であって、前記切り替え機構に係脱自在に係合し、前記切り替え機構を上下に変位させるとともに閉位置で前記切り替え機構を回動させる操作機構を備えるようにしたので、吊り下げ具の引っ掛け部に吊下物を引っ掛け、操作機構を切り替え機構に係合させて、操作機構により切り替え機構を操作して吊り下げ部を開いて被吊り下げ材に掛け、操作機構により切り替え機構を上下に変位させて吊り下げ部を閉じ、この閉位置で操作機構により切り替え機構を回動させると、吊り下げ部は閉じられたままロックされる。ロックを解除して吊り降ろす際には、操作機構により切り替え機構をロック方向と逆に回してロックを解除し、切り替え機構を閉方向と逆に変位させて吊り下げ部を開き、被吊り下げ材から吊り降ろすことができる。
【００２１】
本発明の請求項１２に係る取り付け装置は、請求項１０に記載の吊り下げ具と請求項１１に記載の操作具とを備えたことを特徴とするものである。
【００２２】
本発明の請求項１２に係る取り付け装置では、請求項１０に記載の吊り下げ具と請求項１１に記載の操作具とを備えるようにしたので吊り下げ具の引っ掛け部に吊下物を引っ掛け、操作機構を切り替え機構に係合させて、操作機構により切り替え機構を操作して吊り下げ部を開いて被吊り下げ材に掛け、操作機構により切り替え機構を上下に変位させて吊り下げ部を閉じ、この閉位置で操作機構により切り替え機構を回動させると、吊り下げ部は閉じられたままロックされる。ロックを解除して吊り降ろす際には、操作機構により切り替え機構をロック方向と逆に回してロックを解除し、切り替え機構を閉方向と逆に変位させて吊り下げ部を開き、被吊り下げ材から吊り降ろすことができる。
【発明の効果】
【００２３】
本発明の請求項１に係る吊り下げ具は、基体と、この基体上部に設けられ引っ掛け部が形成された吊り下げ部材と、前記基体に上下動可能かつ回動可能に設けられ、屈曲スリットが形成された可動体と、この可動体の上端部に揺動可能に枢支され前記吊り下げ部材を開閉する揺動部材と、前記基体と前記可動体とを貫通し、前記屈曲スリットに嵌通される棒材と、この棒材と前記可動体上端部との間に設けられたばねと、前記可動体に連結され、孔が穿設された動作部材とを備え、前記動作部材を押し下げ、前記揺動部材を起立させて前記吊り下げ部を閉じ、その閉位置で前記動作部材をロック方向に回して前記揺動部材をロックするようにしたので、吊り下げ部材を開いて被吊り下げ材に吊り下げ、吊り降ろしすることができ、閉じると回すだけでロックすることができ、吊り上げ、吊り降ろし作業が簡素化、効率化され、作業効率が向上する効果がある。
【００２４】
また、本発明の請求項３に係る操作具は、請求項１に記載の吊り下げ具を操作する操作具であって、前記動作部材に係脱自在に係合する板材と、この板材に脱着可能に連結される操作杆とを備えるようにしたので、操作杆により吊り下げ具を被吊り下げ材に吊り下げ、吊り降ろしすることができるとともに、下方から動作部材を操作してロック、ロック解除を行うことができ、作業効率が向上する効果がある。
【００２５】
さらに、本発明の請求項４に係る取り付け装置は、請求項１に記載の吊り下げ具と、請求項３に記載の操作具とを備え、前記操作杆を持ち上げて前記吊り下げ部材を被吊り下げ材に掛け、前記操作杆を押し下げ、前記揺動部材を起立させて前記吊り下げ部を閉じ、その閉位置で前記操作杆をロック方向に回して前記揺動部材をロックするようにしたので、操作杆により吊り下げ部材を開いて吊り下げ具を被吊り下げ材に吊り下げ、吊り降ろしすることができるとともに、下方から操作杆を操作してロック、ロック解除を行うことができ、吊り上げ、吊り降ろし作業が簡素化、効率化され、作業効率が向上する効果がある。
【００２６】
また、本発明の請求項１０に係る吊り下げ具は、吊下物が引っ掛けられる引っ掛け部と被吊り下げ材に吊り下げられる吊り下げ部とを有する吊り下げ部材と、吊り下げ部を開閉する揺動部材と、上下に変位して前記揺動部材を揺動させて前記吊り下げ部を開状態と閉状態とに切り替える切り替え機構と、前記切り替え機構の回動により前記吊り下げ部を閉位置でロックするロック機構とを備えたので、吊り上げ、吊り降ろし作業が簡素化、効率化され、作業効率が向上する効果がある。
【００２７】
さらに、本発明の請求項１１に係る操作具は、請求項１０に記載の吊り下げ具を操作する操作具であって、前記切り替え機構に係脱自在に係合し、前記切り替え機構を上下に変位させるとともに閉位置で前記切り替え機構を回動させる操作機構を備えたので、吊り上げ、吊り降ろし作業が簡素化、効率化され、作業効率が向上する効果がある。
【００２８】
また、本発明の請求項１２に係る取り付け装置は、請求項１０に記載の吊り下げ具と請求項１１に記載の操作具とを備えたので、吊り上げ、吊り降ろし作業が簡素化、効率化され、作業効率が向上するとともに、作業員の数を減らしてコストダウンを図る効果がある。
【図面の簡単な説明】
【００２９】
【図１】図１は、本発明の一実施形態に係る取り付け具を用いて横材に吊す状態を示す説明図である。
【図２】図２の（Ａ）ないし（Ｆ）はそれぞれ、本発明の一実施形態に係る取り付け具の吊り下げ具を示す説明図で、（Ａ）は吊り下げ部が開いた状態を示す一部破断側面図、（Ｂ）は吊り下げ部が起立し揺動部材が当接した状態を示す一部破断側面図、（Ｃ）は吊り下げ部が閉じた状態で吊り下げ部に揺動部材がロックされた下方のロック位置にあるときの状態を示す一部破断側面図、（Ｄ）は、ロック位置にあるときの正面図、（Ｅ）は、内筒体の屈曲スリットの形状を示す説明図および（Ｆ）は屈曲スリットにおける棒材の位置を示す説明図である。
【図３】図３は、外筒体と外筒体の説明図である。
【図４】図４の（Ａ）ないし（Ｄ）はそれぞれ、本発明の一実施形態に係る取り付け具の操作具を示す説明図で、（Ａ）は平面図、（Ｂ）は側面図、（Ｃ）は正面図および（Ｄ）は案内部材の屈曲溝部を示す説明図である。
【図５】図５の（Ａ）、（Ｂ）はそれぞれ、図２の吊り下げ具に図４の操作具を係止する状態を示す説明図である。
【図６】図６の（Ａ）ないし（Ｃ）はそれぞれ、図４の操作具の変形例を示す平面図、側面図および正面図である。
【図７】図７の（Ａ）、（Ｂ）はそれぞれ、本発明の他の実施形態に係る吊り下げ具（取り付け装置）を示す説明図およびその変形例の吊り下げ具（取り付け装置）を示す説明図である。
【発明を実施するための形態】
【００３０】
以下、図面に示す一実施形態により本発明を説明する。本実施形態に係る取り付け装置２は、例えば、図１に示すように、駅舎のプラットホーム等の構造物８の屋根（天井）７の下側に設けられた桁材（被吊り下げ材、以下横材という）４または梁材（被吊り下げ材、以下横材という）５に安全ネットを取り付ける取り付け具である。一般に、駅舎のプラットホーム等の構造物８は、支柱３上端を桁材４が繋ぎ、これら桁材４上に直角に梁材５が連結される。構造物８の屋根７は、桁材４および梁材５を介して支柱３により支持される。これら支持材としての桁材４や梁材５等の横材には、山形鋼（アングル）が用いられる。屋根材７には、波形や山形の、山谷が周期的に繰り返す断面形状を有するスレート材が用いられる。屋根７の保守管理の際、スレート材からなる屋根７に上って作業する場合、作業時、屋根を踏み抜く恐れがあるので、作業前に作業領域のプラットホーム上で、高所の横材４、５に安全ネット（吊下物）６を吊してから作業を始めるようになっている。
【００３１】
取り付け装置２は、図５の（Ａ）、（Ｂ）に示すように、それぞれ金具からなる吊り下げ具１０と操作具１１とを備えて構成される。吊り下げ具１０は、図２の（Ａ）ないし（Ｄ）に示すように、上下が開口した円筒状外筒体（基体）１２と、外筒体１２の上部に設けられ、横材４、５に吊り下げられる半円状の吊り下げ部材（吊り下げ部）１３と、この吊り下げ部材１３に形成され、安全ネット（吊下物）６の持ち上げ部９が引っ掛けられる引っ掛け部１４とを備えて構成される。引っ掛け部１４は、吊り下げ部材１３の内側に入り口１４Ａを狭めて凹陥して形成される。この狭められた入り口１４Ａから持ち上げ部（ロープ）９が差し入れられるようになっている。
【００３２】
また、吊り下げ具１０は、外筒体１２内に摺動可能に収容され、上下動可能かつ回動可能に設けられた角筒状内筒体（可動体）２１と、この内筒体２１の上端蓋部（上端部）２２に一端が枢支され、他端が吊り下げ部材１３の開放端鉤部１５に離脱可能に係止される揺動部材２３と、外筒体１２側と内筒体２１の上端蓋部２２との間に設けられ、常時、上端蓋部２２を外筒体１２の上部に付勢し、揺動部材２３を横臥させて吊り下げ部材１３との間に隙間を形成するばね２４と、内筒体２１の下端部２５に連結されて下方に延び、外力により内筒体２１の上端蓋部２２を外筒体１２の上部より降下させると、揺動部材２３を起立させて揺動部材２３の揺動端（係合部）２６を吊り下げ部材１３の開放端鉤部１５に係止させる動作部材２７とを備えて構成される。開放端鉤部１５は端部が湾曲して上方に向くようになっている。揺動部材２３の揺動端２６は長円の環状に形成され、揺動部材２３が起立すると自動的に鉤部１５の内側に当接するようになっている。そして、環状揺動端２６は当接した状態で下方に押し下げられると、鉤部１５に圧接されるようになっている。動作部材２７は、内筒体２１の下端に連結され下端縁２８Ａが水平に形成された動作プレート２８を備えて構成される。動作プレート２８には、両端に互いに臨んで同一形状の受け入れ部２９Ａ、２９Ｂが形成された孔２９が穿設される。また、動作部材２７は、動作プレート２８の連結部２７Ａの両端にそれぞれ凹陥した係止用凹部３０Ａ、３０Ｂが形成される。
【００３３】
さらに、吊り下げ具１０は、外筒体１２と内筒体２１とを貫通し、一端が外筒体１２の外部に突出し、大径の頭部が内筒体２１の内周面に臨む棒材３１を備えている。突出端には、ナット（突出部）３２が螺着されている。棒材（外筒体側）３１の大径頭部と内筒体２１の上端蓋部２２との間にばね２４が配設される。ところで、この棒材３１は棒状部が、図２の（Ｅ）、（Ｆ）および図３に示すように、内筒体２１に形成された屈曲スリット３３に嵌通される。屈曲スリット３３は、内筒体２１が外筒体１２に対して下方に変位するのに応じて、棒材３１の通過を許容し内筒体２１の変位を許容する縦スリット部３３Ａを有している。また、この屈曲スリット３３は、この縦スリット部３３Ａの上端３３Ｂから横方向に連続して形成され、棒材３１が上端３３Ｂの位置で一方に回動されると、棒材３１の通過を許容し、内筒体２１の回動方向の変位を許容し、ばね２４による上方への付勢力を規制する横スリット部３３Ｃを有している。さらに、屈曲スリット３３は、横スリット部３３Ｃの行き止まり端３３Ｄから下方に棒材３１の上下寸法に応じて延び、棒材３１の回動方向の変位を規制する規制溝部３３Ｅを有している。なお、棒材３１の大径頭部にばね２４の下部を支持するばね座を設けるようにしてもよい。
【００３４】
吊り下げ部材は、外筒体１２と吊り下げ部材１３と引っ掛け部１４とにより構成される。切り替え機構は、外筒体１２と屈曲スリット３３の形成された内筒体２１とばね２４と動作部材２７と棒材３１とにより構成される。ロック機構は、ばね２４と動作部材２７と棒材３１と屈曲スリット３３の形成された内筒体２１とにより構成される。
【００３５】
このため、吊り下げ具１０は、常時、ばね２４により、内筒体２１の上端蓋部２２を外筒体１２の上部に付勢している状態では、揺動部材２３の自重により揺動部材２３を横臥させて吊り下げ部材１３との間に隙間を形成するようになっている。そして、動作部材２７が外力により下方に押し下げられると、棒材３１が縦スリット部３３Ａを通過して内筒体２１は下方に変位し、揺動部材２３を起立させて、環状揺動端２６は鉤部１５の内側に当接するようになっている。さらに動作部材２７が押し下げられて、棒材３１が屈曲スリット３３の上端３３Ｂに達すると、環状揺動端２６は当接した状態で下方に押し下げられ、鉤部１５に圧接される。この状態で、動作部材２７が一方向に回動されると、棒材３１は屈曲スリット３３の上端３３Ｂから横スリット部３３Ｃを通過して内筒体２１が外筒体１２に対して相対回動するのを許容する。このとき、内筒体２１は、ばね２４の付勢力に抗して上方への弾発復帰が規制される。そして、内筒体２１が回動端に至り、棒材３１が行き止まり端３３Ｄに達して、動作部材２７から外力が失われると、内筒体２１はばね２４の付勢力により上方に押し上げられ、棒材３１は規制溝部３３Ｅに嵌め入れられる。この状態で、内筒体２１は回動方向の変位が規制され、棒材３１はばね２４により規制溝部３３Ｅの下面に圧接され、内筒体２１はロックされた状態となる。このため、揺動部材２３も環状揺動端２６が鉤部１５に圧接されてロック状態となる。このロック状態では、吊り下げ部材１３と揺動部材２３とで閉空間を形成して横材４、５に吊り下げられるので、たとえ、引っ掛け部１４を通じて吊されている安全ネットに衝撃が加わっても吊り下げ具１０は外れることがない。
【００３６】
ロックの解除は、動作部材２７を外力によりばね２４の付勢力に抗して押し下げ、棒材３１が行き止まり端３３Ｄに達すると、そのまま、動作部材２７をロック時とは逆の方向に回し、棒材３１が屈曲スリット３３の上端３３Ｂに達し、それ以上の回動が阻止されると、動作部材２７から外力を失わせる。すると、ばね２４の弾発付勢力により内筒体２１は上方に変位し、内筒体２１の上端蓋部２２が外筒体１２の上部に達すると、揺動部材２３は横臥されて吊り下げ部材１３との間に再び隙間を形成する。このため、吊り下げ具１０を持ち上げて操作すると、横材４、５から外すことができるようになっている。
【００３７】
操作具１１は、図４の（Ａ）ないし（Ｃ）に示すように、上部に外筒体１２を受け入れる切り欠き部４１が形成された板材４０と、この板材４０の下部に設けられ、長寸の操作棒（操作杆）４２が差し入れられる操作棒着脱部４４とを備えている。操作棒着脱部４４には、操作棒４２先端の突部（図示せず）が係合する係合溝４３が形成される。切り欠き部４１の上部には、吊り下げ部材１３の下側一部１３Ａを受け入れる凹部４１Ａ（図５参照）が形成される。また、操作具１１は、板材４０の一面（持ち上げ側の吊り上げ用面）４０Ａには、操作棒着脱部４４の上方に動作プレート２８の下端縁２８Ａを受け入れて支持し、動作プレート２８と板材４０との横方向の相対変位を許容するガイド４６と、動作プレート２８と板材４０との横方向の相対変位を所定位置で規制する規制突部４７と、動作プレート２８が規制突部４７に当接して規制された際、動作プレート２８の係止用凹部３０Ａ、３０Ｂに嵌る係止ねじ４８とを備えている。係止ねじ４８は、高さを調整可能に板材４０の一面に螺入される。これら、ガイド４６と規制突部４７と係止ねじ４８により、動作プレート２８は、板材４０に確実に係止されるようになっている。
【００３８】
さらに、板材４０の一面４０Ａには、切り欠き部４１の上部に、外筒体１２から突出したナット３２を導く案内部材５０が設けられる。案内部材５０には、屈曲スリット３３にほぼ対応し、動作プレート２８がガイド４６に導かれると、棒材３１のナット３２を受け入れて横方向の変位を許容する横溝部５１と、この横溝部５１の行き止まり端５１Ａから上方に延びる縦溝部５２と、縦溝部５２の上端５２Ａから横溝部５２と平行に延びる逃げ溝部５３とをそれぞれ有する屈曲溝部５１〜５３が形成される。この案内部材５０の横溝部入り口部５１Ｂには、横溝部５１に突出してナット３２の脱落を阻止する蝶ねじ（脱落防止部材）５４が設けられる。この蝶ねじ５４は、入り口部５１Ｂの上方に形成されたスリット５５に嵌め入れられ、常時、上方の位置で保持され、ナット３２の脱落を阻止する際に降下されて入り口部５１Ｂを塞ぐようになっている。操作具１１の操作機構は、板材４０、操作棒４２、ガイド４６、規制突部４７、係止ねじ４８および案内部材５０を備えて構成される。
【００３９】
このため、操作具１１の吊り上げ用面４０Ａを用いて、吊り下げ具１０を横材４、５に吊り上げる際には、まず、床上で、吊り下げ具１０の動作プレート２８を、操作具１１のガイド４６に差し入れ、規制突部４７に向けて移動させる（図５の（Ｂ）参照）。移動に応じてナット３２が横溝部入り口部５１Ｂから横溝部５１内を移動し、動作プレート２８が規制突部４７に当接すると、ナット３２は、横溝部５１の行き止まり端５１Ａに達する。そして、蝶ねじ５４を降ろして入り口部５１Ｂを塞ぐ。これで、ナット３２は外方に離脱することがないので、吊り下げ具１０と操作具１１とは、係合して上下に相対変位可能となっている。この状態で、揺動部材２３は、横臥状態で、吊り下げ部材１３と揺動部材２３との間には空隙が形成されている。引っ掛け部１４に安全ネット６の持ち上げ部９を引っ掛け、操作棒４２を操作して操作具１１と係合された吊り下げ具１０を上方に持ち上げ、横材４、５に開いた状態の吊り下げ部材１３を掛ける。そして、操作棒４２を下方に引くと、ナット３２は縦溝部５２を、棒材３１は屈曲スリット３３の縦スリット部３３Ａをそれぞれ上方に変位し、ナット３２が縦溝部上端５２Ａに、棒材３１が縦スリット部３３Ａの上端３３Ｂにそれぞれ達すると、それ以上の変位が規制される。このとき、内筒体２１は外筒体１２に対して最下方位置に達し、揺動部材２３が起立し、吊り下げ部材１３の鉤部１５に揺動部材２３の環状揺動端２６が圧接される。この状態で、操作棒４２を操作して操作具１１をロック方向に回すと、ナット３２は、逃げ溝部５３を、棒材３１は横スリット部３３Ｃをそれぞれ通過し、回動の規制端に達すると、棒材３１は行き止まり端３３Ｄに、ナット３２は逃げ溝部５３の開放端５３Ａにそれぞれ至る。そこで、操作棒４２を操作して、操作具１１を差し入れ方向と逆方向に直線状に移動させると、ガイド４６から動作プレート２８が離脱するとともに、ナット３２も開放端５３Ａから離脱し、操作具１１は吊り下げ具１０との係合が解かれると、棒材３１はばね２４により規制溝部３３Ｅの下面に圧接されロック状態となる。このため、横材４、５には、引っ掛け部１４で持ち上げ部９を持ち上げた吊り下げ具１０がロックされた状態で残ったままとなる。
【００４０】
また、板材４０の他面（降ろし側の吊り降ろし用面）４０Ｂには、動作プレート２８の孔２９の受け入れ部２９Ａ、２９Ｂに嵌合する分岐アーム（アーム）６０と、切り欠き部４１の下側に動作プレート２８の孔２９の上縁２９Ｃを支持する支持部６１とが設けられる。Ｖ字状の分岐アーム６０は、拡開両端部６０Ａ、６０Ｂが他面４０Ｂに溶接により固定されるとともに、突出した先細り側は下方に傾斜して設けられる。先端には、上方に起立する直立部６０Ｃが形成される。拡開両端部６０Ａ、６０Ｂは下部が凹陥して形成される。操作具１１の分岐アーム６０は、ロック状態で横材４、５に吊り下げられている吊り下げ具１０を、ロック解除する際、分岐アーム６０を動作プレート２８の孔２９に差し入れると、拡開両端部６０Ａ、６０Ｂが受け入れ部２９Ａ、２９Ｂに嵌合するようになっている。支持部６１は、分岐アーム６０の拡開両端部６０Ａ、６０Ｂが受け入れ部２９Ａ、２９Ｂに嵌合すると、孔２９の上縁２９Ｃを支持するようになっている。
【００４１】
このため、操作具１１の吊り降ろし用面４０Ｂを用いて、吊り下げ具１０を横材４、５から降ろす際には、操作具１１の操作棒４２を操作して、分岐アーム６０を、上方の吊り下げ具１０の動作プレート２８の孔２９に差し入れて支持部６１で孔上縁２９Ｃを支持し、その状態で操作具１１を外力によりわずかに引き下げると、棒材３１は規制溝部３３Ｅから上方に変位し、内筒体２１は回動方向の変位が許容される。そこで、ロック時と逆方向に操作棒４２を回し回動規制端に達すると、棒材３１は縦スリット部３３Ａの上端３３Ｂに至り内筒体２１は、外筒体１２に対し上下動可能となる。この状態で、操作棒４２を押し上げると、揺動部材２３はロック時の起立状態から横臥状態となり、吊り下げ部材１３と揺動部材２３との間に空隙が形成される。このため、操作棒４２を操作して、吊り下げ部材１３を横材４、５から外して、吊り下げ部材１３とともに安全ネット６の持ち上げ部９を降ろすようになっている。
【００４２】
次に、上記一実施形態に係る取り付け装置２の作用について説明する。本実施形態に係る取り付け装置２は、安全ネット６の吊り上げ時には、まず、吊り下げ具１０の引っ掛け部１４に安全ネット６の持ち上げ部９を引っ掛けて保持する。そして、吊り下げ具１０の動作プレート２８を、板材４０の一面４０Ａ側のガイド４６に差し入れ、ナット３２を案内部材５０の横溝部５１に導き、動作プレート２８が規制突部４７に当接し、係止ねじ４８に係止されると、蝶ねじ５４を下方に降ろしてねじ止めし、ナット３２の脱落を阻止を行う。こうして、板材４０を吊り下げ具１０に確実に係止して、操作棒着脱部４４に操作棒４２を取り付け、操作具１１を組み立てる。次に、操作棒４２を操作して吊り下げ具１０を上方に引き上げると、ばね２４により内筒体２１は上端蓋部２２が外筒体１２の上部に押し上げられているので、揺動部材２３が横臥して吊り下げ部材１３が開いた状態で持ち上げ、高所の横材４、５に吊り下げ部材１３を掛ける。次に、操作棒４２を押し下げ、揺動部材２３を起立させて吊り下げ部材１３を閉じ、その状態で操作棒４２をロック方向に回すと、吊り下げ部材１３は一体に回って横材４、５に当接し、吊り下げ部材１３はそれ以上の回動が阻止される。そして、さらにロック方向に押し回すと、吊り下げ部材１３は横材４、５に当接した状態で保持されたまま、動作部材２７と内筒体２１が一体に押し回され、内筒体２１は外筒体１２に対しロック方向に変位する。棒材２１は、行き止まり端３３Ｄに、ナット３２は逃げ溝部５３の開放端５３Ａに達すると、回動が規制される。そこで、操作棒４２から手を離し、外力を失わせると、棒材２１は規制溝部３３Ｅに嵌りばね２４により上方への付勢力を受けて圧接され、揺動部材２３がロックされる。次に、操作棒４２を操作して、操作具１１をロック方向と逆に回すと、吊り下げ部材１３は一体に回って横材４、５に当接し、吊り下げ部材１３はそれ以上の回動が阻止される。そして、吊り下げ部材１３を横材４、５に当接した状態で保持したまま、操作具１１を差し入れ方向と逆方向に移動させると、ガイド４６から動作プレート２８が離脱するとともに、ナット３２も開放端５３Ａから離脱し、操作具１１は吊り下げ具１０との係合が解かれ、横材４、５には、引っ掛け部１４で持ち上げ部９を持ち上げた吊り下げ具１０が残ったままとなる。こうして、安全ネット６を吊り下げることができる。
【００４３】
安全ネット６の吊り降ろし時には、操作具１１の操作棒４２を操作して、板材４０の他面４０Ｂを吊り下げ具１０に近づけ、分岐アーム６０を、動作プレート２８の孔２９に差し入れて支持部６１で孔上縁２９Ｃを支持させる。操作棒４２をロック時と逆方向に回すと、吊り下げ部材１３は一体に回って横材４、５に当接し、吊り下げ部材１３はそれ以上の回動が阻止される。その状態で、操作棒４２をわずかに引き下げ、操作棒４２をロック時と逆方向に回すと、棒材３１は規制溝部３３Ｅから上方に変位して横スリット部３３を通過し、縦スリット部３３Ａの上端３３Ｂに達する。このとき、操作棒４２から手を離すと、操作棒４２の自重がばね２４の付勢力に打ち勝って、内筒体２１は外筒体１２より下方に位置したままである。次に、操作棒４２を持ち上げると、分岐アーム６０と支持部６１により内筒体２１が持ち上げられ、上端蓋部２２が外筒体１２の上部に達すると、揺動部材２３は起立状態から横臥状態となり、吊り下げ部材１３は開かれる。この状態で、操作棒４２を操作して、吊り下げ部材１３を横材４、５から外して、吊り下げ具１０とともに安全ネット６の持ち上げ部９を降ろすようになっている。
【００４４】
このように、本実施形態に係る取り付け装置２では、安全ネット６の吊り上げ時、安全ネット６の持ち上げ部９を引っ掛け部１４に引っ掛け、操作具１１を吊り下げ具１０に係合させ、操作棒４２を持ち上げると、揺動部材２３が倒れて吊り下げ部材１３が開かれる。この状態で、吊り下げ部材１３を横材４、５に吊るし掛け、操作棒４２を引き下げて吊り下げ部材１３を閉じ、この下方の回動が規制されるまでロック方向に回し、規制位置で操作具１１を吊り下げ具１０から外すと、揺動部材２３がロック状態で吊り下げ部材１３が確実に閉じられて吊り下げ具１０が横材４、５に吊り下げられる。取り外し時には、操作棒４２を操作して、操作具１１の分岐アーム６０と支持部６１を動作プレート２８の孔２９に差し入れて逆方向に回してロックを解除し、操作棒４２を持ち上げると、揺動部材２３が倒れて吊り下げ部材１３が開かれる。この状態で操作棒４２を操作して横材４、５から外し、吊り下げ具１０を引き下ろすようになっている。このように、本実施形態に係る取り付け装置２では、簡素な構成で容易に安全ネットを高所の横材に吊り上げ、吊り降ろしすることができ、作業性を向上させることができる。
【００４５】
次に、上記実施形態に係る操作具１１の変形例について、図６の（Ａ）ないし（Ｃ）に基づいて説明する。この変形例に係る操作具１１１は、上記実施形態に係る取り付け装置２の操作具１１が、吊り上げ用面４０Ａに係合部材としてガイド４６と規制突部４７と係止ねじ４８を設けているのに対し、板材１４０の吊り上げ用面１４０Ａに、上方に傾斜して設けられた持ち上げ側分岐アーム（第１のアーム）１６０が設けられた点、板材１４０の上部中央に外筒体１２を受け入れる凹陥部１４１が形成された点、この凹陥部１４１の上部に、板材１４０に対して直角にかつ互いに向き合って形成され吊り下げ部材１３に当接する当接部１５０、１５１を設けた点が異なっている。すなわち、この操作具１１１には、吊り上げ用面１４０Ａに、Ｖ字状分岐アーム１６０の拡開両端部１６０Ａ、１６０Ｂが溶接により固定されるとともに、突出した先細り側は上方に傾斜して設けられる。先端には、上方に起立する直立部１６０Ｃが形成される。操作具１１１は、動作プレート２８の孔２９に持ち上げ側分岐アーム１６０が差し入れられ、拡開両端部１６０Ａ、１６０Ｂが受け入れ部２９Ａ、２９Ｂに嵌合されると、取り下げ具１０と係合するようになっている。操作具１１１が操作棒４２の操作により押し下げられて内筒体２１が下方の閉位置に達し、ロック方向に回されると、吊り下げ部材１３は一体に回って横材４、５に当接し、回動が阻止される。そして、さらにロック方向に押し回されると、吊り下げ部材１３は横材４、５に当接した状態で保持されたまま、当接部１５０または１５１が吊り下げ部材１３に当接し、さらに押し回されると、動作部材２７と内筒体２１が一体に押し回され、内筒体２１は外筒体１２に対し変位してロック位置に達すると、吊り下げ部材１３が閉じられるようになっている。
【００４６】
図７の（Ａ）は、本発明の他の実施形態に係る取り付け装置２０２を示す説明図で、本実施形態に係る取り付け装置２０２は、上記一実施形態に係る取り付け装置２が、吊り下げ具１０と操作具１１、１１１とにより構成しているのに対し、吊り下げ具２１０のみから構成した点が異なっている。すなわち、本実施形態に係る取り付け装置２０２は、上記一実施形態に係る取り付け装置２と同様に、外筒体１２と、この外筒体１２の上部に設けられた吊り下げ部材１３と、外筒体１２に収容された内筒体２１と、これら筒体１２、２１を貫通して設けられ内筒体２１に形成された屈曲スリット３３に嵌通される棒材３１と、棒材３１と内筒体２１との間に設けられたばね２４とを備えている。この取り付け装置２０２は、内筒体２１の下部に動作部材２２７が連結され、動作部材２２７の動作プレート２２８には、手で握ることができる孔２２９が穿設される。すなわち、吊り下げ具２１０のみを単独で取り付け具として使用するようになっている。その場合、高所の横材４、５に掛けなくとも、作業員の手の届く高さの横材に掛け吊るし、動作部材２２７の孔２２９に手を差し入れて、内筒体２１の下方への変位と回動操作を手で操作するようにしている。また、この他の実施形態に係る取り付け装置２０２の変形例である取り付け装置３０２も、図７の（Ｂ）に示すように、吊り下げ具３１０のみを単独で取り付け装置として使用するようになっている。すなわち、吊り下げ具２１０の動作部材２２７に、操作棒４２先端の、図示しない突部が係合する係合溝３４３が形成された操作棒着脱部３４４を設け、動作部材２２７に長寸の操作棒４２を連結するようにしている。この場合、この吊り下げ具３１０は、横材４、５に吊り下げられた状態で、操作棒４２も吊り下げ具３１０と一体に吊り下げられるようになっている。さらに、取り付け装置３０２では、短寸の操作杆３４２を用いて動作部材２２７を操作するようにしてもよい。係る構成とした場合でも、押し下げる動作と回動させる動作のみで吊り下げ部材を開閉し、閉時、確実にロックすることができる。
【００４７】
なお、上記各実施形態では、吊下物として安全ネットを例示しているがこれに限られるものではなく、店内に展示するＰＯＰやポスター、装飾物であってもよいし、旗が並んだロープなどを吊り下げるようにしてもよい。また、上記各実施形態では、被吊り下げ材として横材を例示しているがこれに限られるものではなく、構造物や屋外に設置された鉤部や環状部材、手摺り等、吊り下げられるものとしての機能を果たすものであればよい。さらに、被吊り下げ材は、高所に限らず、作業員の手の届く高さにあってもよいし、低所にあって、吊り下げ具が吊り下げられた状態で上方に昇降される昇降装置の昇降棒のようなものであってもよい。また、上記実施形態では、内筒体２１に屈曲スリット３３を１つ形成しているが、これに限られるものではなく、ばね力が大きい場合、内筒体に屈曲スリットを一対それぞれ対応させて設け、長寸の棒材を一対の屈曲スリットに嵌通させて、棒材の大径頭部と他端部をそれぞれ外筒体から突出させ、他端部にナットを螺着するようにしてもよい。
【符号の説明】
【００４８】
１０  吊り下げ具
１１  操作具
１２  外筒体（基体）
１３  吊り下げ部材
１４  引っ掛け部
２１  内筒体（可動体）
２２  内筒体上端部
２３  揺動部材
２４  ばね
２７  動作部材
２９  孔
３１  棒材
３３  屈曲スリット
４０  板材
４２  操作棒（操作杆）
【図１】
2019002138.tif 000003
【図２】
2019002138.tif 000004
【図３】
2019002138.tif 000005
【図４】
2019002138.tif 000006
【図５】
2019002138.tif 000007
【図６】
2019002138.tif 000008
【図７】
2019002138.tif 000009